(57)【要約】【課題】シート本体の着座姿勢を保つスタンド脚部のロック開錠用とし、主椅子や後部座席の着座者等からでも操作し易い操作レバーを車装用補助椅子に備える。【解決手段】シートバック１０をリクライニングデバイスでシートクッション１１に折畳み可能に備え、シート本体１の着座姿勢を保ち、且つ、シートバック１０を折り畳んだシート本体１を横倒し回転させて立付け収納可能にシートクッション１１で保持するスタンド脚部２を備え、シート本体１を着座姿勢から立付け姿勢に切り換えるスタンド脚部２のロックデバイス３を操作レバー４で作動可能に備える車装用補助椅子で、操作レバー４としてシート本体１の横倒し回転方向と同方向に引張り揺動するものをシートクッション１１の片側部に備える。【選択図】  図１
2004359107.tif 000002
【特許請求の範囲】
【請求項１】
シートバックをリクライニングデバイスでシートクッションに折畳み可能に備え、シート本体の着座姿勢を保ち、且つ、シートバックを折り畳んだシート本体を横倒し回転させて立付け収納可能にシートクッションで保持するスタンド脚部を備え、更に、シート本体を着座姿勢から立付け姿勢に切り換えるスタンド脚部のロックデバイスを操作レバーで作動可能に備える車装用補助椅子において、
シート本体の横倒し回転方向と同方向に引張り揺動させてスタンド脚部のロックデバイスを開錠する操作レバーをシートクッションの片側部に備え付けたことを特徴とする車装用補助椅子。
【請求項２】
有幅なプレート状の操作レバーをロックデバイスの開錠用として備え付けたことを特徴とする請求項１に記載の車装用補助椅子。
【請求項３】
シートクッションの片側部に軸承枢着する基部側をシートクッションの側部面と略面一に保ち、指掛け部側をシートクッションの底面内方に向ける操作レバーをロックデバイスの開錠用として備え付けたことを特徴とする請求項１または２に記載の車装用補助椅子。
【請求項４】
指入れ空間を指掛け部との間に保って操作レバーを窪み内に受け入れる受け皿状の収容ケースをシートクッションの片側部寄り底面に備え付けたことを特徴とする請求項１〜３のいずれかに記載の車装用補助椅子。
【発明の詳細な説明】
【０００１】
【発明の属する技術分野】
本発明は、主に、自動車用の一人掛け椅子或いはベンチ椅子を主椅子として側部空間を有効活用し、また、ウオークスルー空間を確保するよう出し入れ可能に備え付けられる車装用補助椅子に関するものである。
【０００２】
【従来の技術】
従来、車装用補助椅子としては、シートバックをリクライニングデバイスでシートクッションと折畳み可能に備え、シート本体を着座姿勢にスタンド脚部で保つと共に、シート全体を着座姿勢から横倒し姿勢に切り換えるスタンド脚部のロックデバイスを備え、シートバックを折り畳んだシート本体を横倒し回転させてシート本体を主椅子とスタンド脚部との間に立付け収納するものが提案されている（特許文献１）。
【０００３】
その車装用補助椅子においては、スタンド脚部のロックデバイスを開錠する操作レバーがスタンド脚部を被包するサイドカバーの中腹辺から外部に露出させて車体の前後方向に揺動操作するよう備え付けられている。
【０００４】
【特許文献１】
特開平８−１８３３７４号公報
【０００５】
その車装用補助椅子においては、ロック開錠用の操作レバーがシートクッションから離れたサイドカバーの中腹辺から外部に露出位置するため、主椅子や後部座席の着座者等から手が届き難い。また、この操作レバーがシート本体を横倒し回転させて立付け収納する方向と異なる方向に揺動操作するよう備え付けられているから、操作方向が判り難い。更に、サイドカバーの中腹辺から突起物として外部に露出するため、体裁上も好ましくない。
【０００６】
【発明が解決しようとする課題】
本発明は、主椅子や後部座席の着座者等からでも操作し易いロック開錠用の操作レバーを備える車装用補助椅子を提供することを目的とする。
【０００７】
それに加えて、本発明は、操作方向が判り易く、簡単に操作でき、体裁も良好なロック開錠用の操作レバーを備える車装用補助椅子を提供することを目的とする。
【０００８】
【課題を解決するためのデバイス】
本発明の請求項１に係る車装用補助椅子においては、シートバックをリクライニングデバイスでシートクッションに折畳み可能に備え、シート本体の着座姿勢を保ち、且つ、シートバックを折り畳んだシート本体を横倒し回転させて立付け収納可能にシートクッションで保持するスタンド脚部を備え、更に、シート本体を着座姿勢から立付け姿勢に切り換えるスタンド脚部のロックデバイスを操作レバーで作動可能に備えるもので、シート本体の横倒し回転方向と同方向に引張り揺動させてスタンド脚部のロックデバイスを開錠する操作レバーをシートクッションの片側部に備え付けることにより構成されている。
【０００９】
本発明の請求項２に係る車装用補助椅子においては、有幅なプレート状の操作レバーをロックデバイスの開錠用として備え付けることにより構成されている。
【００１０】
本発明の請求項３に係る車装用補助椅子においては、シートクッションの片側部に軸承枢着する基部側をシートクッションの側部面と略面一に保ち、指掛け部側をシートクッションの底面内方に向ける操作レバーをロックデバイスの開錠用として備え付けることにより構成されている。
【００１１】
本発明の請求項４に係る車装用補助椅子においては、指入れ空間を指掛け部との間に保って操作レバーを窪み内に受け入れる受け皿状の収容ケースをシートクッションの片側部寄り底面に備え付けることにより構成されている。
【００１２】
【発明の実施の形態】
以下、添付図面を参照して説明すると、図示実施の形態では、図１で示すように自動車用のセカンドシートを主椅子Ｍとし、その主椅子Ｍの側部空間を有効活用し、また、ウオークスルー空間を確保するよう出し入れ可能に備え付けられる車装用の補助椅子として備え付けられている。この補助椅子の主たる構成は、先行例として示した車装用の補助椅子と概ね変わりない。
【００１３】
その主たる構成は、図２で示すようにシートバック１０をシートクッション１１の後部側にリクライニングデバイス（図示せず）で折畳み可能に備え、シート本体１をスタンド脚部２で支持すると共に、スタンド脚部２のロックデバイス３を備えることにより組み立てられている。この構成中、ロックデバイス３は操作レバー４で開錠可能に、リクライニングデバイスは操作ノブ５で開錠可能に備え付けられている。
【００１４】
スタンド脚部２は、二本対の主脚部２０ａ，２０ｂと、一本の副脚部２１とから組み立てられている。主脚部２０ａ，２０ｂは、パイプ部材を略Ｌ字状に軸線曲げしたもので、パンフレーム２２を軸下辺に、横桁バー２３を軸上辺に掛け渡すことから間隔を前後に保って相対するよう組み立てられている。副脚部２１としては、パイプ部材を略Ｕ字状に軸線曲げしたものが備えられている。このスタンド脚部２は、主脚部２０ａ，２０ｂの各軸上辺に掛け渡すサイドカバー２４で全体的に被包されている。
【００１５】
主脚部２０ａ，２０ｂは、各軸の上辺端を基枠フレーム１１ａの軸前後辺に支軸１１ｂ，１１ｃで軸承連結し、軸下辺をフット部２５ａ，２５ｂ（片側のみ図示）で車体フロアに取り付けることによりシートクッション１１の底部と車体フロアとの間に立て付けられている。副脚部２１は、略Ｕ字の軸上端を主椅子Ｍと隣接する基枠フレーム１１ａの軸横辺から突出するブラケット片２５ａ，２５ｂに軸承連結することからシートクッション１１の片側部で揺動可能に備え付けられている。
【００１６】
ロックデバイス３は、シートクッション１１を着座姿勢から横倒し回転するに伴って、副脚部２１の軸下辺を主椅子Ｍに近接する方向と主椅子Ｍから離れる方向とに往復動するスライドガイド３０を備えて構成されている。このロックデバイス３は、スライドガイド３０をスタンド脚部２のパンフレーム２２に設置すると共に、スライドガイド３０より延びる橋絡フレーム３１を主脚部２０ａ，２０ｂの横桁バー２３に掛け渡すことからスタンド脚部２に取付け固定されている。
【００１７】
ロックデバイス３の内端側には、副脚部２１の軸下辺を係止するフック状の掛止め金（図示せず）が備え付けられている。その掛止め金は、スライドガイドの内部に軸承装着すると共に、支軸の軸線上に嵌装する捩りコイルバネで下方にバネ付勢するよう取り付けられている。この掛止め金は、操作レバー４から伸びるワイヤケーブル６を連結し、操作レバー４を引張り揺動するに伴って副脚部２１の軸下辺から外れて開錠するよう備え付けられている。
【００１８】
その補助椅子においては、図１で示すようにスタンド脚部２のロックデバイス３を開錠する操作レバー４がシート本体１の横倒し回転方向（実線矢印参照）と同方向（点線矢印参照）に引張り揺動するようシートクッション１０の片側部寄り底面に備え付けられている。
【００１９】
そのロック開錠用の操作レバー４は、図３で示すように基枠フレーム１１の軸横辺に取り付けられる軸受けブラケット１１ｆに支軸４０で軸承支持することからシートクッション１０の片側部寄り底面に備え付けられている。また、捩りコイルバネ４１を支軸４０の軸線上に備えてシートクッション１１の底面側にバネ変位するよう取り付けられている。支軸４０は、軸片端側をかしめリング４２で軸止めし、ロックデバイスと連携するワイヤケーブル６の連結片４３を軸他端側に備えて操作レバー４と一体で回転可能に軸承支持されている。
【００２０】
その操作レバー４としては、図４で示すように有幅なプレート状のものが備え付けられている。この操作レバー４は、シートクッション１１の片側部に軸承枢着する基部４ａをシートクッション１１の側部面と略面一に保ち、指掛け部４ｂをシートクッションの底面内方に向けて備え付けられている。また、受け皿状の収容ケース７をシートクッション１１の片側部寄り底面に備え、指入れ空間ｇを指掛け部４ｂとの間に保ってレバー全体を窪み内に受け入れることにより備え付けられている。
【００２１】
その操作レバー４の基部４ａは、図５で示すようにリクライニングカバー８の下部側に設けられた切欠部８ａから視認可能に取り付けられている。リクライニングカバー８は、締付けボルト８ｂでシートクッション１１のリクライニングブラケット（図示せず）にあてがい固定されている。リクライニングデバイスの操作ノブ５は、ロック開錠用の操作レバー４よりも上部側でリクライニングカバー７に設けられた囲い部８ｃの内側で上下に揺動可能に備え付けられている。
【００２２】
このように構成する車装用補助椅子においては、通常時はスタンド脚部２の副脚部２１がロックデバイス３の掛止め金で立上り係止されているため、シート本体１を主脚部２０ａ，２０ｂと副脚部２１とで着座姿勢に保たれる。このシート本体１の着座姿勢では、操作レバー４の基部４ａがシートクッション１１の側部面と略面一でリクライニングカバー８の下部側に設けられた切欠部８ｂより外部に露出するから、操作レバーとして視認できることは勿論、体裁上も良好なものに保てる。
【００２３】
一方、操作レバー４を引張り回転すると、ロックデバイス３の掛止め金がワイヤケーブル６を介して開錠方向に回転することによりスタンド脚部２の副脚部２１から外れるため、副脚部２１の軸下辺を主椅子Ｍに近接する方向と主椅子Ｍから離れる方向とに往復動させられる。このロックデバイス３を開錠作動すると、図６で示すように副脚部２１を車体フロア側に倒し込めると共に、シートバック１０を折り畳んだシート本体１を横倒し回転させて主椅子Ｍとの間に立付け収納できる。
【００２４】
その操作レバー４は、シートクッション１１の片側部に備えられているため、主椅子や後部座席の着座者等からでも操作し易い。また、シート本体１の横倒し回転方向と同方向に引張り揺動するものとして備え付けられているから、主椅子や後部座席の着座者等でも操作方向を判別し易い。
【００２５】
それに加えて、基部側４ａをシートクッション１１の側部面寄りに位置し、指掛け部４ｂをシートクッション１１の底面内方に向けて備えるため、シートクッション１１の底面内領域で揺動操作できる。また、有幅なプレート状の大型なものを備え、指入れ空間ｇを指掛け部４ｂとの間に保って窪み内に受け入れる収容ケース７を備えることから、指掛け位置を容易に特定でき、シートクッション１１の底面側でも容易に操作できる。
【００２６】
上述した車装用補助椅子においては、図７並びに図８で示すように物品の載置トレー９をシートバック１０の背部に備え、シートバック１０を前倒しすることから物品の載置テーブルとして用いられる。この物品の載置トレー９には、円形の受け穴９０，９１を設けてコップやジュース缶等を立て付け、また、両穴９０，９１を連続する凹溝９２を設けることからメガネや筆記具等の長ものを収容するようにできる。
【００２７】
上述した実施の形態においては、シートバック１０をシートクッション１１に折り畳んだ厚さの略相当位置において、シートクッション１１をスタンド脚部２の主脚部２０ａ，２０ｂで支持するよう構成すると、立付け収納時におけるシート本体１の立上り高さを低く抑えられるところから好ましい。
【００２８】
【発明の効果】
以上の如く、本発明の請求項１に係る車装用補助椅子に依れば、シート本体の横倒し回転方向と同方向に引張り揺動させてスタンド脚部のロックデバイスを開錠する操作レバーをシートクッションの片側部に備え付けることにより、主椅子や後部座席の着座者等からでも操作し易く、操作方向も判り易い。
構成されている。
【００２９】
本発明の請求項２に係る車装用補助椅子に依れば、有幅なプレート状の操作レバーをロックデバイスの開錠用として備え付けることにより、大型な操作レバーで操作し易い。
【００３０】
本発明の請求項３に係る車装用補助椅子に依れば、シートクッションの片側部に軸承枢着する基部側をシートクッションの側部面と略面一に保ち、指掛け部側をシートクッションの底面内方に向けてロック開錠用の操作レバーを備え付けることにより、ロック開錠用の操作レバーとして視認できると共に、体裁上も良好なものに保てる。
【００３１】
本発明の請求項４に係る車装用補助椅子に依れば、指入れ空間を指掛け部との間に保って操作レバーを窪み内に受け入れる収容トレーをシートクッションの片側部寄り底面に備え付けることにより指掛け位置を容易に特定でき、シートクッションの底面側でも容易に操作できる。
【図面の簡単な説明】
【図１】本発明に係る車装用補助椅子を着座姿勢で示す正面図である。
【図２】図１の補助椅子を示す斜視図である。
【図３】図１の補助椅子に備えられるロック開錠用の操作レバーを示す断面図である。
【図４】図１の補助椅子を立付け収納状態で示す側面図である。
【図５】図１の補助椅子に備えられるロック開錠用の操作レバー並びにリクライニングデバイスの操作ノブを主に示す側面図である。
【図６】図１の補助椅子を立付け収納状態で示す正面図である。
【図７】図１の補助椅子のシートバックに備えられる物品載置トレーを主に示す平面図である。
【図８】図７の物品載置トレーと別例に係る物品載置トレーを主に示す平面図である。
【符号の説明】
１                  シート本体
１０                  シートバック
１１                  シートクッション
２                  スタンド脚部
３                  ロックデバイス
４                  ロック開錠用の操作レバー
７                  操作レバーの収容ケース
【図１】
2004359107.tif 000003
【図２】
2004359107.tif 000004
【図３】
2004359107.tif 000005
【図４】
2004359107.tif 000006
【図５】
2004359107.tif 000007
【図６】
2004359107.tif 000008
【図７】
2004359107.tif 000009
【図８】
2004359107.tif 000010